(57)【要約】【課題】小型化を実現しつつ、光源ユニットの導光板に対する位置ずれを低減することができる光源装置、および当該光源装置を備えた表示装置を提供する。【解決手段】光源ユニット１３と、光源ユニット１３が生成した光を導光する導光板１５と、光源ユニット１３に電力を供給するための配線１７とを備えた光源装置１１であって、光源ユニット１３は、発光素子２３と、発光素子２３が実装されかつ配線１７が接続される実装面２５ａ、実装面２５ａの反対側に位置する背面２５ｂ、および実装面２５ａと背面２５ｂとの間に位置する側面２５ｃを有した基板２５と、基板２５を保持する放熱板２７とを有し、放熱板２７は、基板２５の背面２５ｂに対向する背面部２７ａと、背面部２７ａから延在しかつ孔部２７ｈが設けられた延在部２７ｂとを含み、基板２５の側面２５ｃの一部は、延在部２７ｂの孔部２７ｈに収容されている。【選択図】図５
2013004276.tif 000002
【特許請求の範囲】
【請求項１】
光源ユニットと、前記光源ユニットが生成した光を導光する導光板と、前記光源ユニットに電力を供給するための配線と、を備えた光源装置であって、
前記光源ユニットは、
発光素子と、
前記発光素子が実装されかつ前記配線が接続される実装面、該実装面の反対側に位置する背面、および前記実装面と前記背面との間に位置する側面を有した基板と、
前記基板を保持する放熱板と、を有し、
前記放熱板は、前記基板の前記背面に対向する背面部と、該背面部から延在しかつ孔部が設けられた延在部と、を含み、
前記基板の前記側面の一部は、前記延在部の前記孔部に収容されている、光源装置。
【請求項２】
前記放熱板は、前記延在部とは反対側において前記背面部から突出し、前記延在部と対向する突部をさらに含む、請求項１に記載の光源装置。
【請求項３】
前記光源ユニットは、前記導光板の縁部の一辺の両端の角部にそれぞれ設けられている、請求項１または２に記載の光源装置。
【請求項４】
請求項１〜３のいずれか一項に記載の光源装置と、
前記光源装置における前記導光板により導光された光が照射される表示パネルと、を備えた表示装置。
【請求項５】
前記表示パネルは、液晶表示パネルである、請求項４に記載の表示装置。
【発明の詳細な説明】
【技術分野】
【０００１】
本発明は、光源装置、および表示装置に関する。
【背景技術】
【０００２】
光源ユニットと、当該光源ユニットが生成した光を面状の光に変換するための導光板とを有する光源装置が知られている（例えば、特許文献１参照）。このような光源装置は、例えば、液晶表示装置のように、バックライトを要する表示装置に備えられている。光源ユニットには、当該光源ユニットに電力を供給するための配線が接続される。配線は、適宜に引き回され、例えば、光源装置もしくは表示装置の外部へ延び出る。
【先行技術文献】
【特許文献】
【０００３】
【特許文献１】特開２００２−１３３９３３号公報
【発明の概要】
【発明が解決しようとする課題】
【０００４】
光源装置は表示装置に備えられることから、近年において、光源装置は、小型化が求められている。また、光源装置の組み立て時もしくは組み立て後において、配線には張力が加えられやすい。当該張力は、光源ユニットの導光板に対する位置ずれを招く。このため、光源装置において、所望の輝度もしくは輝度の均一性が得られない可能性があった。
【０００５】
本発明の目的は、小型化を実現しつつ、光源ユニットの導光板に対する位置ずれを低減することができる光源装置、および当該光源装置を備えた表示装置を提供することにある。
【課題を解決するための手段】
【０００６】
本発明の一態様に係る光源装置は、光源ユニットと、前記光源ユニットが生成した光を導光する導光板と、前記光源ユニットに電力を供給するための配線と、を備えた光源装置であって、前記光源ユニットは、発光素子と、前記発光素子が実装されかつ前記配線が接続される実装面、該実装面の反対側に位置する背面、および前記実装面と前記背面との間に位置する側面を有した基板と、前記基板を保持する放熱板と、を有し、前記放熱板は、前記基板の前記背面に対向する背面部と、該背面部から延在しかつ孔部が設けられた延在部と、を含み、前記基板の前記側面の一部は、前記延在部の前記孔部に収容されている。
【０００７】
本発明の一態様に係る表示装置は、本発明に係る光源装置と、前記光源装置における前記導光板により導光された光が照射される表示パネルと、を備える。
【発明の効果】
【０００８】
本発明の光源装置、および表示装置は、小型化を実現しつつ、光源ユニットの導光板に対する位置ずれを低減することができる。
【図面の簡単な説明】
【０００９】
【図１】本発明の実施形態に係る表示装置の外観斜視図である。
【図２】図１の表示装置の模式的な分解斜視図である。
【図３】図１のＩＩＩ−ＩＩＩ線における断面図である。
【図４】図１の表示装置の光源装置の平面図である。
【図５】図４の光源装置の光源ユニットの斜視図である。
【図６】一の光源ユニットの周辺を示す斜視図である。
【図７】他の光源ユニットの周辺を示す斜視図である。
【図８】図４の光源装置の導光板の配線付近を拡大して示す斜視図である。
【図９】図８の領域ＩＸを拡大して示す斜視図である。
【図１０】図９のＸ−Ｘ線の断面図である。
【図１１】図９のＸＩ−ＸＩ線の断面図である。
【発明を実施するための形態】
【００１０】
以下、図面を参照して、本発明の実施形態を説明する。なお、符号は、同一または類似する構成のものについて、例えば、「第１光源ユニット１３Ａ、第２光源ユニット１３Ｂ」のように、同一の符号に大文字のアルファベットの付加符号を付すことがある。また、この場合において、単に「光源ユニット１３」というなど、名称の頭の番号、および、上記の付加符号を省略することがあるものとする。
【００１１】
図１は、本発明の実施形態に係る表示装置１の外観斜視図である。
【００１２】
表示装置１は、例えば、表示面１ａに画像を表示可能な液晶表示装置により構成されている。表示装置１は、筐体３を有している。筐体３は、例えば、概ね薄型の直方体状に形成されており、第１角部３ａ、第２角部３ｂ、第３角部３ｃ、および第４角部３ｄを有するとともに、これら角部間の第１側面３ａｂ、第２側面３ｂｃ、第３側面３ｃｄ、および第４側面３ｄａを有している。表示面１ａは、筐体３の一主面に設けられている。表示面１ａは、例えば、筐体３の主面と概ね相似の形状（本実施形態では矩形）であり、筐体３の主面に対して第１角部３ａ側へ偏って設けられている。
【００１３】
図２は、表示装置１の模式的な分解斜視図である。
【００１４】
表示装置１は、筐体３を構成するフェースボード５、およびバックボード７を有している。また、表示装置１は、筐体３の内部に、表示パネル９と、表示パネル９を照明するバックライトとしての光源装置１１とを有している。
【００１５】
バックボード７は、例えば、光源装置１１、および表示パネル９を収容可能な箱状に形成されている。フェースボード５は、例えば、バックボード７よりも一回り大きい箱状に形成されており、光源装置１１および表示パネル９を収容したバックボード７に被せられ、バックボード７の開口を塞ぐとともに、バックボード７の外周を囲む。フェースボード５には、表示パネル９を露出させるための表示窓５ａが開口している。表示窓５ａは、フェースボード５に対して第１角部３ａ側へ偏って設けられている。
【００１６】
フェースボード５およびバックボード７は、例えば、金属により形成されている。より具体的には、例えば、フェースボード５およびバックボード７は、板金のプレス加工により構成されている。ただし、フェースボード５およびバックボード７は、樹脂により形成されていてもよい。フェースボード５およびバックボード７は、特に図示しないが、係合部、ネジ、半田、あるいは接着剤等により互いに固定される。
【００１７】
表示パネル９は、液晶表示パネルにより構成されている。すなわち、表示パネル９は、互いに対向配置され、隙間に液晶が封入された２枚の透明基板（狭義の液晶表示パネル９ａ（図３参照））と、これらの両面に積層された偏光板９ｂ（図３参照）とを有している。２枚の透明基板には、特に図示しないが、画素電極、共通電極、カラーフィルタ等が積層される。
【００１８】
表示パネル９は、例えば、表示窓５ａよりも一回り大きい矩形状に形成されている。表
示パネル９は、表示窓５ａと同様に、筐体３の主面に対して第１角部３ａ側に偏って配置され、表示窓５ａを内側から塞ぐ。表示パネル９の表示窓５ａから露出する部分により、表示面１ａが構成されている。
【００１９】
特に図示しないが、表示パネル９は、フレキシブル基板（例えばＴＡＢテープ）と接続され、フレキシブル基板は、配線基板と接続されている。配線基板には、表示情報を表示信号に変換するＩＣが実装され、フレキシブル基板には、ＩＣからの表示信号に基づいて、画素電極と共通電極との間に画素毎に電圧を印加するドライバーＩＣが実装されている。これらのフレキシブル基板、および配線基板は、表示パネル９に対して、筐体３の第２側面３ｂｃ側、および第３側面３ｃｄ側に配置されている。なお、ドライバーＩＣは、ＣＯＧ技術により表示パネル９に実装されてもよい。
【００２０】
光源装置１１は、光を生成する第１光源ユニット１３Ａおよび第２光源ユニット１３Ｂ（図４参照）と、光源ユニット１３の生成した光を導光する導光板１５と、光源ユニット１３に電力を供給するための第１配線１７Ａおよび第２配線１７Ｂ（図４参照）とを有している。さらに、光源装置１１は、導光板１５により導光された光をより効率的に利用するために、光学シート１９および反射板２１を有している。
【００２１】
導光板１５は、例えば、概略、矩形状の平板状に形成されており、第１主面１５ｅおよび第２主面１５ｆを有している。また、導光板１５は、例えば、透光性のアクリル板により形成されている。第２主面１５ｆには、例えば、導光板１５と一体的に形成された、もしくは、導光板１５とは別部材により形成された不図示のドットパターン（複数の突部）が設けられている。
【００２２】
光源ユニット１３は、点状光源として構成されている。光源ユニット１３は、導光板１５の側面（角部を含む）に対向して配置されている。より具体的には、例えば、導光板１５の角部は面取りされており、光源ユニット１３は、その面取り面に対向している。
【００２３】
光源ユニット１３において生成された光は、上記の面取り面（導光板１５の側面）から導光板１５に入射する。導光板１５の側面に入射された光は、第１主面１５ｅおよび第２主面１５ｆにより全反射しながら、これら主面に沿って導かれる。導かれた光はドットパターンにより散乱されて第１主面１５ｅから出射する。このようにして、光源ユニット１３において生成された光は、面状の光に変換される。
【００２４】
光学シート１９は、例えば、微細な凹凸が形成された２枚のプリズムシートを積層して構成され、第１主面１５ｅに積層される。プリズムシートは、例えば、ポリエステルもしくはポリカーボネイト等の樹脂により形成されている。第１主面１５ｅから出射された光は、光学シート１９を透過する際に指向性が付与され、これにより、光源装置１１の輝度が向上する。
【００２５】
反射板２１は、例えば、導光板１５を収容可能な箱状（ただし、第３側面３ｃｄ側の側面はなし）に形成されており、導光板１５の第２主面１５ｆおよび側面を覆う。反射板２１は、例えば、金属、樹脂を金属でコーティングしたもの、または、樹脂に散乱材等を含有させたものにより形成されている。導光板１５の第２主面１５ｆもしくは側面から漏れた光は、反射板２１により反射され、再度導光板１５に入射する。これにより、光源装置１１の輝度が向上する。
【００２６】
導光板１５は、ほぼ、反射板２１に嵌合する。また、導光板１５を収容した反射板２１は、ほぼ、バックボード７（筐体３）に嵌合する（図４も参照）。なお、導光板１５もしくは反射板２１は、適宜な部材を介して筐体３の内側面に間接的に当接してもよい。また
、導光板１５、光学シート１９、および反射板２１は、接着剤等の適宜な手段により互いに固定されてよい。
【００２７】
図３は、図１のＩＩＩ−ＩＩＩ線における断面図である。
【００２８】
上述したように、筐体３は、フェースボード５およびバックボード７を有している。また、筐体３内には、表示面１ａ側から順に、表示パネル９、光学シート１９、導光板１５、反射板２１が積層されている。光源ユニット１３は、導光板１５の側面に対向して配置されている。
【００２９】
なお、筐体３の内部には、光源装置１１、表示パネル９等の各部材と筐体３との隙間に嵌合するなどして、各部材の筐体３に対する位置決めに寄与する保持部材６も設けられている。
【００３０】
図４は、光源装置１１の平面図である。ただし、光学シート１９は図示を省略されている。また、筐体３（バックボード７）の内側面が２点鎖線で示されている。なお、筐体３（バックボード７）は、光源装置１１の一部と捉えられてもよい。
【００３１】
導光板１５は、上述のように、概ね矩形に形成され、筐体３の第１角部３ａ〜第４角部３ｄに対応する第１角部１５ａ〜第４角部１５ｄを有するとともに、これら角部間の第１側面１５ａｂ、第２側面１５ｂｃ、第３側面１５ｃｄ、および第４側面１５ｄａを有している。
【００３２】
表示パネル９における画像を表示する表示領域９ｃ（一点鎖線で示す）もしくは筐体３の表示窓５ａ（図２）は、導光板１５の第１主面１５ｅに対して、第１角部１５ａ側へ偏って配置されている。換言すれば、導光板１５において、表示領域９ｃの外側領域は、第２側面１５ｂｃおよび第３側面１５ｃｄ側が、第１側面１５ａｂおよび第４側面１５ｄａ側よりも広くなっている。したがって、第２側面１５ｂｃおよび第３側面１５ｃｄは、第１側面１５ａｂおよび第４側面１５ｄａに比較して、反射等が表示領域９ｃの輝度に及ぼす影響が相対的に低い部分となっている。なお、表示領域９ｃは、例えば、画素の配置範囲により規定される。
【００３３】
２つの光源ユニット１３は、導光板１５の１辺の両端の角部に対向して配置されている。具体的には、例えば、光源ユニット１３は、導光板１５の、表示領域９ｃの外側領域が相対的に大きい側の短辺（第３側面１５ｃｄ）の両端の第３角部１５ｃ、および第４角部１５ｄに対向している。
【００３４】
光源ユニット１３は、概ね導光板の対角線方向を放射方向として、所定の放射角度αで光を放射する。放射角度αは、例えば、相対照度５０％の範囲を放射角度として定義され、その大きさは例えば６０度である。
【００３５】
光源ユニット１３が生成した光は、導光板１５等による導光、反射および散乱により、第１主面１５ｅから均一に取り出される。ただし、導光板１５の側面のうち、放射角度αの範囲に収まらない領域（非照射領域）には光は届きにくい。したがって、第３側面１５ｃｄの全体、第２側面１５ｂｃの第３角部１５ｃ側部分、および第４側面１５ｄａの第４角部１５ｄ側部分は、導光板１５の側面の他の部分に比較して、表示領域９ｃの輝度に及ぼす影響が相対的に低い部分となっている。
【００３６】
第１配線１７Ａは、第１光源ユニット１３Ａに電力を供給するためのものである。第１配線１７Ａは、第１光源ユニット１３Ａ（第４角部１５ｄ）から第３側面１５ｃｄに沿っ
て第３角部１５ｃまで延び、さらに、筐体３の第３角部３ｃ周辺に形成された不図示の孔部から筐体３の外部へ延び出ている。したがって、第１配線１７Ａは、表示領域９ｃとの距離が相対的に大きい側面に沿って設けられ、また、光源ユニット１３の非照射領域に設けられている。
【００３７】
第２配線１７Ｂは、第２光源ユニット１３Ｂに電力を供給するためのものである。第２配線１７Ｂは、第２側面１５ｂｃの第３角部１５ｃ側の部分に配置されている。そして、第１配線１７Ａと合流して、筐体３の第３角部３ｃ周辺に形成された不図示の孔部から筐体３の外部へ延び出ている。したがって、第２配線１７Ｂは、表示領域９ｃとの距離が相対的に大きい側面に沿って設けられ、また、光源ユニット１３の非照射領域に設けられている。
【００３８】
複数の配線１７の先端には、複数の配線１７を他の機器に接続するためのコネクタ１８が設けられている。なお、複数の配線１７は、第１配線１７Ａと第２配線１７Ｂとの合流地点または当該合流地点からコネクタ１８に至るまでの適宜な位置・範囲において、適宜な部材により束ねられたり、配線１７の絶縁膜が互いに接着されたりしていてもよい。
【００３９】
図５は、光源ユニット１３の斜視図である。なお、配線１７等の一部の部材は模式的に示されている。
【００４０】
光源ユニット１３は、点状光源としての発光素子２３と、発光素子２３が実装された基板２５と、基板２５を保持する放熱板２７とを有している。
【００４１】
発光素子２３は、例えば、ＬＥＤにより構成されており、より具体的には、概ね直方体状のチップＬＥＤにより構成されている。
【００４２】
配線１７は、例えば、１または複数本の金属線を絶縁膜により被覆することにより形成されている。配線１７は、一の光源ユニット１３に対して、電位の正負に対応して２本設けられている。なお、配線１７の断面外形は一般的には円形であるが、図５は模式図であることから、矩形により示されている。また、２本の配線１７は、被膜が互いに結合されていてもよい。被膜は、適宜な色とされてよいが、導光板１５の輝度向上に寄与するように白色とされることが好ましい。
【００４３】
基板２５は、例えば、硬質の樹脂もしくはセラミックを基体とするリジッド式の回路基板により構成されており、一方の主面に実装面２５ａを有している。また、基板２５は、他方の主面に背面２５ｂを有している。すなわち、背面２５ｂは、実装面２５ａの反対側に位置する面である。また、基板２５は、実装面２５ａと背面２５ｂとの間に位置する側面２５ｃを有している。基板２５は、例えば、矩形に形成されている。
【００４４】
実装面２５ａには、発光素子２３が例えば半田により表面実装されているとともに、配線１７が例えば半田により接続されている。発光素子２３と配線１７とは、基板２５の不図示の配線パターンを介して電気的に接続されている。発光素子２３は、例えば、実装面２５ａの長手方向の一方側に実装され、配線１７は、例えば、実装面２５ａの長手方向の他方側に接続されるとともに当該他方側へ延びている。
【００４５】
放熱板２７は、例えば、一枚の板金をプレス加工することにより形成されている。放熱板２７は、基板２５の実装面２５ａの背面に対向する背面部２７ａと、背面部２７ａに直交する延在部２７ｂと、背面部２７ａの延在部２７ｂとは反対側において突出し、延在部２７ｂと対向する突部２７ｃとを有している。延在部２７ｂには、空所としての孔部２７ｈが形成されている。
【００４６】
基板２５は、例えば、半田、接着剤もしくは両面テープにより、実装面２５ａの背面２５ｂが背面部２７ａに接着されることにより、放熱板２７に固定される。なお、基板２５と放熱板２７とを接着する材料もしくは部材は、伝熱性が高いことが好ましい。
【００４７】
突部２７ｃは、基板２５の側面２５ｃに当接可能であり、基板２５の移動の規制に寄与する。当該規制方向は、例えば、基板２５の短手方向、発光素子２３および配線１７の実装領域の配列方向に直交する方向、配線１７の延びる方向に直交する方向である。
【００４８】
また、基板２５は、側面２５ｃの一部が孔部２７ｈに収容され、好ましくは嵌合されることにより、放熱板２７に対して孔部２７ｈの径方向における移動が規制される。規制方向は、例えば、基板２５の長手方向、発光素子２３、および配線１７の実装領域の配列方向、配線１７の延びる方向、突部２７ｃの規制方向に直交する方向である。基板２５の側面２５ｃの一部が、孔部２７ｈに収容されているので、配線１７に張力が加えられても、基板２５の側面２５ｃの一部が孔部２７ｈに当接することにより、発光素子２３の導光板１５に対する位置ずれを低減することができる。このため、導光板１５における輝度の低下もしくは輝度の均一性が低下する可能性を低減することができる。また、基板２５の側面２５ｃの一部が、孔部２７ｈに収容されているので、孔部２７ｈの厚み分、光源ユニット１３を小型化することができる。すなわち、光源装置１１を小型化することができる。
【００４９】
なお、基板２５の孔部２７ｈに収容される側面（図５の紙面下方に面する側面）は、延在部２７ｂの背面部２７ａとは反対側の面（図５の紙面下方に面する面）と面一になることが好ましい。
【００５０】
ここで、仮に、配線１７に張力が加えられ、基板２５の短手方向、発光素子２３および配線１７の実装領域の配列方向に直交する方向、配線１７の延びる方向に直交する方向に力が加わった場合であっても、基板２５の側面２５ｃの一部が突部２７ｃに当接することにより、発光素子２３の導光板１５に対する位置ずれを低減することができる。このため、本実施形態のように、放熱板２７に突部２７ｃが形成されていることが好ましい。
【００５１】
延在部２７ｂの背面部２７ａ側の面には両面テープ２９が配置されている。より具体的には、両面テープ２９は、孔部２７ｈよりも延在部２７ｂの先端側に配置されている。そして、図３に示すように、両面テープ２９が反射板２１の背面（導光板１５とは反対側の面）に接着されることにより、放熱板２７は、反射板２１および導光板１５に対して固定される。なお、両面テープ２９に代えて、接着剤もしくは半田が用いられてもよい。
【００５２】
図３に示すように、延在部２７ｂは、バックボード７の内側面に当接する。さらに、基板２５の孔部２７ｈに収容された部分もバックボード７の内側面に当接する。これにより、基板２５の熱は、放熱板２７を介して間接的に、また、直接的に、バックボード７に伝達される。
【００５３】
図６は、第１光源ユニット１３Ａの周辺を示す斜視図である。
【００５４】
平面視において、導光板１５の第４角部１５ｄ（面取り面）には、切り欠き部が形成されている。第１光源ユニット１３Ａは、当該切り欠き部に収容されるように配置され、導光板１５に対する移動が規制されている。換言すれば、導光板１５は、第１光源ユニット１３Ａが対向する対向面１５ｒを側面に含む導光板本体１５ｑと、導光板本体１５ｑから突出して、第１光源ユニット１３Ａの移動を規制するストッパ１５ｓおよび位置決め部１５ｔとを有している。
【００５５】
ストッパ１５ｓは、第１光源ユニット１３Ａ（もしくは発光素子２３）に対して第１配線１７Ａの配置側に位置しており、第１光源ユニット１３Ａ（もしくは発光素子２３）の第１配線１７Ａの配置側への移動を規制する。より具体的には、ストッパ１５ｓは、導光板本体１５ｑの背面側（図６の紙面奥手側）にも突出するように形成されており、ストッパ１５ｓには、放熱板２７の延在部２７ｂの縁部が当接する。
【００５６】
したがって、配線１７に張力が加えられても、発光素子２３の導光板１５に対する位置ずれを低減することができる。このため、導光板１５における輝度の低下もしくは輝度の均一性が低下する可能性を低減することができる。さらに、ストッパ１５ｓは導光板１５に形成されることから、部材点数の増加が生じず、また、ストッパ１５ｓにより、発光素子２３からその側方へ漏れた光が反射等されて利用されることも期待される。
【００５７】
位置決め部１５ｔは、第１光源ユニット１３Ａ（もしくは発光素子２３）に対して第１配線１７Ａの配置側とは反対側に位置しており、第１光源ユニット１３Ａ（もしくは発光素子２３）の第１配線１７Ａの配置側とは反対側への移動を規制する。より具体的には、位置決め部１５ｔは、導光板本体１５ｑと同等の厚さで形成されており、位置決め部１５ｔには、放熱板２７の背面部２７ａの縁部が当接する。
【００５８】
位置決め部１５ｔを有していることにより、発光素子２３の位置ずれがより低減される。さらに、位置決め部１５ｔは、ストッパ１５ｓと同様に、導光板１５に形成されることから、部材点数の増加が生じず、また、発光素子２３からその側方へ漏れた光が反射等されて利用されることも期待される。
【００５９】
ストッパ１５ｓおよび位置決め部１５ｔは、例えば、導光板１５を射出成形する金型に、ストッパ１５ｓおよび位置決め部１５ｔに対応する形状が形成されていることにより、導光板本体１５ｑと一体的に形成される。
【００６０】
なお、光源ユニット１３、ストッパ１５ｓおよび位置決め部１５ｔは、導光板１５に面取り面や切欠き部を設けなかったと仮定した場合の矩形に収まっており、図４に示すように、導光板１５がほぼ嵌合する矩形の筐体３内に収まる。
【００６１】
また、対向面１５ｒには、発光素子２３を対向面１５ｒに当接させつつも、配線１７と導光板１５との干渉を抑制するために、段差が形成されている。ただし、段差は形成されていなくてもよいし、発光素子２３は、対向面１５ｒに当接していなくてもよい。
【００６２】
図７は、第２光源ユニット１３Ｂの周辺を示す斜視図である。
【００６３】
第２光源ユニット１３Ｂ側においても、第１光源ユニット１３Ａ側と同様に、ストッパ１５ｓおよび位置決め部１５ｔが設けられている。第２光源ユニット１３Ｂ側におけるストッパ１５ｓおよび位置決め部１５ｔの構成は、上述した第１光源ユニット１３Ａ側のストッパ１５ｓおよび位置決め部１５ｔと同様である。
【００６４】
図８は、導光板１５の配線１７付近を拡大して示す斜視図である。
【００６５】
導光板１５は、第１配線１７Ａを位置決めする第１ガイド部３１Ａと、第２配線１７Ｂを位置決めする第２ガイド部３１Ｂとを有している。ガイド部３１は、例えば、導光板１５を射出成形する金型に、ガイド部３１に対応する形状が形成されていることにより、導光板１５の他の部分と一体的に形成される。
【００６６】
図９は、図８の領域ＩＸを拡大して示す斜視図である。
【００６７】
図８および図９に示すように、第１ガイド部３１Ａは、導光板１５の第３側面１５ｃｄに沿って設けられており（第１ガイド部３１Ａが第３側面１５ｃｄを構成していると捉えることもできる。）、第１配線１７Ａを第３側面１５ｃｄに沿って案内している。
【００６８】
より具体的には、第１ガイド部３１Ａは、第３側面１５ｃｄに沿って延びる溝部３１ａを有しており、第１配線１７Ａは、溝部３１ａに収容されることにより、案内されている。
【００６９】
溝部３１ａは、導光板１５の第１主面１５ｅに形成された第１凹溝３１ｂと、第２主面１５ｆに形成された第２凹溝３１ｃとを有している。第１凹溝３１ｂ、および第２凹溝３１ｃは、第３側面１５ｃｄに沿う方向（第１配線１７Ａの配設方向）において交互に設けられて接続されている。
【００７０】
より具体的には、第１光源ユニット１３Ａ側から第２光源ユニット１３Ｂ側へ、順に、第１凹溝３１ｂ、第２凹溝３１ｃ、第１凹溝３１ｂ、第２凹溝３１ｃ、および第１凹溝３１ｂが設けられている。これらの第１凹溝３１ｂおよび第２凹溝３１ｃは、例えば、第３側面１５ｃｄの中央に対して、概略対称に配置されている。例えば、第３側面１５ｃｄの中央には、第１凹溝３１ｂが位置し、その両側に、概ね同等の位置および長さで第２凹溝３１ｃが位置し、さらにその両側に第１凹溝３１ｂが位置している。
【００７１】
第１ガイド部３１Ａには、第１主面１５ｅから第２主面１５ｆへ貫通するスリット３１ｓが形成されている。スリット３１ｓは、第１配線１７Ａ（の少なくとも一本分）を通過させることが可能な幅で形成され、第１凹溝３１ｂに連続するとともに、第２凹溝３１ｃに対して並走している。スリット３１ｓの第２凹溝３１ｃに並走する部分は、第２凹溝３１ｃに対して導光板１５の主面内方に位置している。
【００７２】
なお、本実施形態では、スリット３１ｓの第２凹溝３１ｃに並走する部分は、第２凹溝３１ｃの底部に開口している。第１配線１７Ａを通過させることが可能な幅は、必ずしも第１配線１７Ａの径よりも大きい必要はなく、第１配線１７Ａの皮膜を弾性変形させながら通過させることが可能な幅であってもよい。
【００７３】
第１配線１７Ａは、まず、第１主面１５ｅ側から、第１凹溝３１ｂに収容されるとともに、スリット３１ｓを通過させられる。そして、第１配線１７Ａは、スリット３１ｓを通過した部分が導光板１５の主面外方に移動されることにより、第１凹溝３１ｂおよび第２凹溝３１ｃにより位置決めされる。
【００７４】
図１０は、図９のＸ−Ｘ線の断面図である。図１１は、図９のＸＩ−ＸＩ線の断面図である。
【００７５】
上述した第１凹溝３１ｂおよび第２凹溝３１ｃについては、別の観点から捉えることができる。すなわち、第１ガイド部３１Ａは、第１配線１７Ａに側方一方側（第２主面１５ｆ側）から当接可能な第１係止部３１ｄと、第１配線１７Ａに側方他方側（第１主面１５ｅ側）から当接可能な第２係止部３１ｅとを有していると捉えることができる。そして、第１係止部３１ｄおよび第２係止部３１ｅは、第１配線１７Ａの延設方向において交互に配置されている。また、第１ガイド部３１Ａは、第１係止部３１ｄおよび第２係止部３１ｅの配置位置に亘って配置され、第１係止部３１ｄおよび第２係止部３１ｅの当接方向に直交する方向において第１配線１７Ａに当接する第３係止部３１ｊおよび導光板本体１５ｑを有している。
【００７６】
第１配線１７Ａの延設方向に見て、第１係止部３１ｄと第２係止部３１ｅとの隙間ｄ（第１凹溝３１ｂの底面と第２凹溝３１ｃの底面との隙間）は、第１配線１７Ａの１本分の直径よりも狭い。したがって、第１配線１７Ａは、第１係止部３１ｄと第２係止部３１ｅにより、若干蛇行するように位置決めされている。
【００７７】
なお、第１ガイド部３１Ａよりも導光板１５の主面内方に位置する突条１５ｊ（図９も参照）は、光学シート１９の縁部に当接することにより、光学シート１９を位置決めするためのものである。ただし、突条１５ｊは、他の位置に配置され、光学シート１９は、第１凹溝３１ｂ、およびスリット３１ｓを塞ぐ位置まで広がっていてもよい。
【００７８】
既に参照した図７は、第２ガイド部３１Ｂを拡大して示す斜視図にもなっている。
【００７９】
第２ガイド部３１Ｂは、第１主面１５ｅ側の表面が導光板本体１５ｑよりも低くなった薄肉部３１ｆと、薄肉部３１ｆから第１主面１５ｅの面する方向に突出する突部３１ｇとを有している。
【００８０】
突部３１ｇは、第２光源ユニット１３Ｂに対して、概ね第２側面１５ｂｃに沿う方向に位置している。突部３１ｇの平面形状は、適宜に設定されてよいが、例えば、第２側面１５ｂｃに沿う方向を長手方向とする概ね矩形状に形成されている。
【００８１】
そして、第２配線１７Ｂは、薄肉部３１ｆ上において、第２光源ユニット１３Ｂ側から突部３１ｇ側へ第２側面１５ｂｃに沿って延び、その後、突部３１ｇを所定角度（本実施形態では１８０度）周回する。第２配線１７Ｂは、突部３１ｇを周回することにより、方向転換がなされるとともに、位置決めされる。方向転換がなされた第２配線１７Ｂは、再度、第２側面１５ｂｃに沿って、今度は突部３１ｇ側から第２光源ユニット１３Ｂ側へ延びる。
【００８２】
突部３１ｇと導光板本体１５ｑとの間には、突部３１ｇの外周の一部に沿う第３凹溝３１ｈが形成されている。なお、第３凹溝３１ｈの一部は第２側面１５ｂｃに沿って延び、他の一部は第２側面１５ｂｃに直交している。第３凹溝３１ｈは、第２配線１７Ｂを収容することにより、第２配線１７Ｂを位置決めしている。第３凹溝３１ｈは、光学シート１９（２点鎖線で示す）により塞がれる。
【００８３】
突部３１ｇを有することにより、第２配線１７Ｂの外部側端部に張力が加えられたとしても、突部３１ｇから受ける摩擦抵抗により、張力が発光素子２３まで伝達されることが抑制され、発光素子２３の位置ずれがより低減される。また、このような突部３１ｇは、導光板１５に形成されることから、部材点数の増加も生じない。
【００８４】
なお、第２配線１７Ｂを配置するための薄肉部３１ｆは、第２光源ユニット１３Ｂ側のストッパ１５ｓと連続し、もしくは共用されている。第１ガイド部３１Ａの両端は、第１光源ユニット１３Ａ側のストッパ１５ｓ（図６）および第２光源ユニット１３Ｂ側の位置決め部１５ｔ（図７）と連続し、もしくは共用されている。
【００８５】
以上のように、本実施形態に係る光源装置１１および表示装置１は、小型化を実現しつつ、光源ユニット１３の導光板１５に対する位置ずれを低減することができる。
【００８６】
本発明は、以上の実施形態に限定されず、種々の態様で実施されてよい。
【００８７】
表示装置は、液晶表示装置に限定されない。例えば、表示装置は、光源装置により照明されるフィルムを有するもの（画像が変化しないもの）であってもよい。また、表示装置
は、タッチパネルを構成するものであってもよい。
【００８８】
光源ユニットの数は２個に限定されない。１個でもよいし、３個以上設けられてもよい。また、光源ユニットは、導光板の角部に配置されるものに限定されない。例えば、光源ユニットは、導光板の１辺の中央に設けられてもよい。光源ユニットは、ＬＥＤに限定されず、例えば、冷陰極管であってもよい。
【００８９】
ガイド部は、配線を収容可能な溝部を有するものに限定されない。例えば、ガイド部は、配線の延設方向に沿って複数配置されたピンにより配線を位置決めするものであってもよい。
【００９０】
ガイド部を構成する溝部は、凹溝に限定されず、抜け穴状のものであってもよい。さらに、溝部は、導光板の主面に設けられるものに限定されず、導光板の側面に設けられるものであってもよい。
【００９１】
配線の延設方向において交互に配置される第１係止部および第２係止部（３１ｄ、３１ｅ）は、導光板の主面の面する方向において配線の側面に当接するものに限定されず、導光板の主面に沿う方向において配線の側面に当接するものであってもよい。
【００９２】
また、第１係止部および第２係止部は、第１凹溝（３１ｂ）及び第２凹溝（３１ｃ）を構成しなくてもよい。例えば、実施形態において、第３係止部３１ｊ（図１０および図１１）が省略されてもよい。なお、この場合、配線は、導光板１５の側方から第１係止部３１ｄ及び第２係止部３１ｅに係止されることが可能であるから、スリット３１ｓは不要である。
【００９３】
また、第１凹溝および第２凹溝が形成される場合において、配線１７のこれらの凹溝からの抜けを抑制する係止部が更に設けられてもよい。例えば、図１０において、第３係止部３１ｊの紙面上方側の端部から、第１主面１５ｅの内方へ突出して第１凹溝３１ｂの側方一部を塞ぐ係止部が設けられてもよい。また、例えば、図１１において、第２係止部３１ｅのスリット３１ｓ側の端部から、第２主面１５ｆ側へ突出する係止部が設けられてもよい。
【００９４】
また、配線の延設方向に見た第１係止部と第２係止部との隙間（ｄ）は、配線の径よりも広くてもよい。この場合であっても、配線の側方一方側および他方側の位置決め効果は得られる。
【００９５】
第１係止部および第２係止部（第１凹溝及び第２凹溝）の数は、合計５つに限定されない。例えば、合計２個（第１係止部及び第２係止部が１個ずつ）であってもよい。ただし、第１係止部および第２係止部が合計３個以上あることが十分な位置決め効果を得る観点から好ましい。
【００９６】
配線が周回される突部（３１ｇ）は、配線を折り返させるものに限定されない。例えば、配線の９０度程度の方向転換を行うものであってもよい。また、配線が折り返すという場合には、配線の向きが１８０度変化する場合に限定されず、例えば、配線の向きが１３５度〜２２５度、若しくは、１５０度〜２１０度変化する場合を含んでもよい。また、配線は、突部に１周以上巻かれてもよい。
【００９７】
また、配線が周回される突部は、導光板の主面の面する方向に突出するものに限定されない。例えば、突部は、導光板の側面の面する方向に突出するものであってもよい。さらに、突部の形状は直方体状に限定されない。例えば、突部は、円柱状であってもよいし、
先端側ほど拡径するテーパ状であってもよい。
【００９８】
光学シートおよび反射板（もしくは反射シート）は省略されてもよいし、他の部材にこれらの代わりをさせてもよいし、これらの機能を発揮する部位を導光板に一体的に形成してもよい。
【符号の説明】
【００９９】
１  表示装置
１１  光源装置
１３Ａ  第１光源ユニット（光源ユニット）
１３Ｂ  第２光源ユニット（光源ユニット）
１５  導光板
１７  配線
２３  発光素子
２５  基板
２５ａ  基板の実装面
２５ｂ  基板の背面
２５ｃ  基板の側面
２７  放熱板
２７ａ  背面部
２７ｂ  延在部
２７ｃ  突部
２７ｈ  孔部
【図１】
2013004276.tif 000003
【図２】
2013004276.tif 000004
【図３】
2013004276.tif 000005
【図４】
2013004276.tif 000006
【図５】
2013004276.tif 000007
【図６】
2013004276.tif 000008
【図７】
2013004276.tif 000009
【図８】
2013004276.tif 000010
【図９】
2013004276.tif 000011
【図１０】
2013004276.tif 000012
【図１１】
2013004276.tif 000013